(57)【要約】  本発明は、パケットオリエンテッドネットワークを介して接続されているＷＷＷサーバー（ＳＲＶ）と、パケットオリエンテッドネットワークに接続されている情報ホスト計算機（ＰＲＸ）と、該情報ホスト計算機（ＰＲＸ）に接続されている音声ベースドブラウザ（ＷＴＥ）とを有する、パケットオリエンテッドネットワークを介して情報を音声を用いて交換するための方法に関する。この場合、フォーマットベースドエディター（ＦＥ）によって生成されるストラクチャ化されたドキュメント（ＳＤ）がＷＷＷサーバー（ＳＲＶ）に伝送されかつそこでアクセス情報（ＤＰ）と一緒に記憶される。音声ベースドブラウザ（ＷＴＥ）を介してストラクチャ化されたドキュメント（ＳＤ）をアクセスする際に、アクセス情報（ＤＰ）が存在すれば情報ホスト計算機（ＰＲＸ）への転送が行われる。情報ホスト計算機（ＰＲＸ）において、ストラクチャ化されたドキュメント（ＳＤ）の解析が実施される。行われた解析に従って、ストラクチャ化されたドキュメント（ＳＤ）において図形ストラクチャ化のためのステートメントが音響的な出力形態のためのステートメントに変更される。
2005513662.tif 000002
【特許請求の範囲】
【請求項１】
パケットオリエンテッドネットワーク（ＮＷ）を介して接続されているＷＷＷサーバー（ＳＲＶ）と、パケットオリエンテッドネットワークに接続されている情報ホスト計算機（ＰＲＸ）と、該情報ホスト計算機（ＰＲＸ）に接続されている音声ベースドブラウザ（ＷＴＥ）とにより、パケットオリエンテッドネットワークを介して情報を音声を用いて交換するための方法であって、
フォーマットベースドエディター（ＦＥ）によって生成されるストラクチャ化されたドキュメント（ＳＤ）をＷＷＷサーバー（ＳＲＶ）に伝送しかつそこでアクセス情報（ＤＰ）と一緒に記憶し、
音声ベースドブラウザ（ＷＴＥ）を介してストラクチャ化されたドキュメント（ＳＤ）をアクセスする際に、前記アクセス情報（ＤＰ）が存在すれば情報ホスト計算機（ＰＲＸ）への転送を行い、
該情報ホスト計算機（ＰＲＸ）において、ストラクチャ化されたドキュメント（ＳＤ）の解析を実施し、
ストラクチャ化されたドキュメント（ＳＤ）において、図形ストラクチャ化のためのステートメントを音響的な出力形態のためのステートメントに変更する
方法。
【請求項２】
情報ホスト計算機（ＰＲＸ）はプロキシサーバーの機能を有している
請求項１記載の方法。
【請求項３】
ストラクチャ化されたドキュメント（ＳＤ）の生成をソフトウェアライブラリを組み込んでおよび／またはソフトウェアライブラリを参照指示して行う
請求項１または２記載の方法。
【請求項４】
フォーマットベースドエディター（ＦＥ）によるストラクチャ化されたドキュメント（ＳＤ）の編集の際に確定される変換はストラクチャ化されたドキュメント（ＳＤ）および／またはストラクチャ化されたドキュメント内のファイルへの参照指示のために必要である
請求項１から３までのいずれか１項記載の方法。
【請求項５】
ＷＷＷサーバー（ＳＲＶ）に記憶されているストラクチャ化されたドキュメント（ＳＤ）におけるステートメントはＨＴＭＬフォーマットにおいて存在している
請求項１から４までのいずれか１項記載の方法。
【請求項６】
ストラクチャ化されたドキュメント（ＳＤ）の、ＨＴＭＬフォーマットにおいて存在しているステートメントを情報ホスト計算機（ＰＲＸ）においてＸＭＬフォーマットに従ったステートメントに変換する
請求項５記載の方法。
【請求項７】
ＨＴＭＬフォーマットのステートメントをＸＭＬフォーマットに変換するために、解析装置（ＡＮＬ）はＨＴＭＬフォーマットのステートメントをＨＴＭＬ−ＤＯＭプログラミングインタフェース（ＨＴＭＬＤＯＭ）を使用してオブジェクトに変換する
請求項６記載の方法。
【請求項８】
変換装置（ＴＲＦ）はオブジェクトを解析装置（ＡＮＬ）と交換しかつＸＭＬフォーマットのステートメントである該オブジェクトをＸＭＬ−ＤＯＭプログラミングインタフェース（ＸＭＬＤＯＭ）を使用してＸＭＬステートメントに基づいたストラクチャ化されたドキュメント（ＳＤ）に変換する
請求項７記載の方法。
【請求項９】
変換装置（ＴＲＦ）によるオブジェクトの変換の際に、ライブラリファイル（ＸＳＬ）を使用する
請求項８記載の方法。
【請求項１０】
ストラクチャ化されたドキュメント（ＳＤ）の呼び出しおよび／またはデータの交換のための、パケットオリエンテッドネットワークを介して接続されているＷＷＷサーバー（ＳＲＶ）と、
前記パケットオリエンテッドネットワークに接続されていて、ストラクチャ化されたドキュメント（ＳＤ）に含まれている、図形ストラクチャ化のためのステートメントから音響的な出力形態のためのステートメントに変更するための情報ホスト計算機（ＰＲＸ）と、
該情報ホスト計算機（ＰＲＸ）に接続されている音声ベースドブラウザと
を有している、パケットオリエンテッドネットワークを介して情報を音声を用いて交換するためのシステム。
【請求項１１】
情報ホスト計算機はプロキシサーバーとして実現されている
請求項１０記載のシステム。
【発明の詳細な説明】
【技術分野】
【０００１】
本発明は、自然の話し言葉に基づいて加入者と通信するためのデータ処理情報システムに関する。
【０００２】
例えば「イントラネット」等の形における、例えばＷＷＷ（World Wide Web）、ローカルネットワーク（Local Area Networks, ＬＡＮ）のようなパケットオリエンテッドネットワークは数多くの使用分野においてユーザの情報交換に対する主要なソースをますます形成するようになっている。説明を簡潔にするためにこの形式の情報伝送ネットワークは以下に概念ＷＷＷを参照することにする。
【０００３】
どんどん大きくなっていく範囲のユーザがＷＷＷで得られる情報を頼りにするようになっているので、これらの情報にいつでもアクセスできるようにするという要求が高まっている。このアクセスは通例、データ線路を介して１つまたは複数のＷＷＷサーバーに接続されている作業場所計算機を使用して行われる。この計算機では、当業者には「ブラウザＢｒｏｗｓｅｒ）」として知られている、ＷＷＷサービスにおいて使用可能である情報を表示するためないし使用可能である情報内でナビゲーションするためのソフトウェアが実行される。その際表示は主要には視覚的な出力手段によって行われる。
【０００４】
この形式の情報の主要構成要素はテキストフォーマットにおいて存在しているデータを形成しているが、それには更に、グラフィック、当業者には「リンク」（Ｌｉｎｋ）としても知られている関連情報などに対するクロス参照指示が含まれている。これらの情報は
ＷＷＷサーバーと専門領域ではクライアントとも称される例えばブラウザの形の所属の通信端末との間で、大抵はストラクチャ化されたドキュメントの形で交換される。これとは、ユーザに対して表示すべき本来の情報の他にこれらのストラクチャに関しての計算機読み取り可能なインストラクションも含まれている、境界を設定することができる量のデータ編成の謂いである。ＷＷＷにおけるストラクチャ化されたドキュメントの交換のために今日主として、ＨＴＭＬフォーマット（Hypertext Markup Language）が使用される。
【０００５】
ＨＴＭＬフォーマットの普及のために、例えば Microsoft Corp. 社のMicrosoft Word のような数多くのソフトウェアパケットが、フォーマット化されたドキュメントをストラクチャ化されたドキュメントに対するＨＴＭＬコードに変換する可能性を提供している。その際このソフトウェアパケットによって生成されるＨＴＭＬコードはユーザによって後から編集することができる。普通はＨＴＭＬへのコード変換の特別な知識を要求しないこの形式のソフトウェアパケットを以下に、ストラクチャ化されたドキュメントに対する「フォーマットベースドエディタ」という概念で扱うことにする。
【０００６】
ＷＷＷにおける情報をいつでもアクセスできるようにしたいという冒頭に説明した必要性のために、使用者が目に見える出力手段を有する作業場所計算機を使用することができないという状況もますます多く増えてくる。それ故に、別のプレゼンテーション形態において、例えばオーディオフォーマットにおいて、ＷＷＷに存在している情報を従来の電話を介してアクセスしたいという要求がますます増えてきている。
【０００７】
音声に基づいているナビゲーションおよびＷＷＷにおける情報伝送は、当業者にはインタラクティブ・ボイス・レスポンス（Interactive Voice Response＝ＩＶＲ）としても知られているインタラクティブな音声対話方式と称される。ＩＶＲ方法は元はといえば、ルーチンタスクの負荷を軽減しかつ呼び出しセンターにおける待ち行列管理のためのダイアローグオリエンテッド音声システムから発展した。このためにＩＶＲ方式は一般に、音声ガイドされるメニューのインプリメンテーションを有しており、つまりここではユーザは音声手段によりまたは電話数字キーの操作によっても種々のオプション間を選択する。
【０００８】
ＩＶＲベースドＷＷＷナビゲーションを実現するための標準はＶｏｉｃｅＸＭＬ（Voice Extensible Markup Language）であり、“World Wide Web Consortium”によって標準化されて、現在の所２０００年５月５日にＶｅｒｓｉｏｎ１．０で発せられている（http://www.w3.org/TR/voicexml/）。この標準により、情報の呼び出しが音声通信を使用して行われる、ストラクチャ化されたドキュメントの設計が可能になる。このような音声による通信は一方においてＶｏｉｃｅＸＭＬスクリプトに含まれているテキストを音声としてユーザに送出することによって、他方においてユーザが発声する命令の処理によって行われる。
【０００９】
ＶｏｉｃｅＸＭＬを使用した音声ベースの情報の呼び出しのために、ＶｏｉｃｅＸＭＬフォーマットであるＷＷＷサーバーでのストラクチャ化されたドキュメントの設計および準備は制約を受ける。これによりユーザは、このフォーマットにおいてＷＷＷサーバーで定義されている情報に制限されており、殊にＨＴＭＬドキュメントをアクセスすることができない。つまりこの形態はＩＶＲ方式のサーバー側の支援に相当する。上に述べたように情報に対するアクセスが制限された形でしかないという欠点の他に、ＶｏｉｃｅＸＭＬは音声生成および音声分析に対するＷＷＷサーバー計算出力に対する要求が非常に高くなるという欠点を有している。付加的に、情報を伝送するデータネットワークの伝送容量に著しく大きな負荷がかけられる。というのは、制御のために必要なないし出力される音声情報はデータネットワークにおいて例えばデジタル化されたオーディオ信号として伝送されるからであり、そのためにマウスクリックまたはキー操作入力を介するストラクチャ化されたドキュメントにおけるナビゲーションに比べて、伝送すべきデータ量は著しく上昇することになる。別の欠点として、大抵はＨＴＭＬ設計と平行して実行される、ＶｏｉｃｅＸＭＬフォーマットにおけるストラクチャ化されたドキュメントの設計に対するコストが比較的高いことが挙げられる。
【００１０】
国際特許出願ＷＯ９９／４６９２０から、従来の電話を用いる、ＷＷＷにおけるナビゲーションに対するシステムが公知である。このシステムの中心となる構成部は、モデムと電話制御されるオーディオＷＷＷブラウザ（telephongesteuertes Audio-WWW-Browser＝ＴＡＷＢ）とを有するホスト計算機システム（Host Computer System）である。加入者は電話網において当該モデムに配属されている呼び出し番号をダイヤルすることによってこのシステムに入る。申し込み過程が成功するとホスト計算機システムのモデムはＴＡＷＢと電話網との間のインターフェースとして働く。加入者はナビゲーションまたは制御のためのコマンドを発声せられる形態においてまたは電話数字キーの操作によるＤＴＭＦ（Dual Tone Multi Frequency）信号の形態においてＴＡＷＢに伝送することができる。ＴＡＷＢはコマンドを解釈し、相応のＷＷＷドキュメントをロードしかつ含まれている情報をオーディオフォーマットに変換する。それから情報は電話網を介して電話に送信され、電話で加入者はこれら情報を聞き取ることができる。テキストデータの、オーディオ情報への変換は当業者にはＴＴＳ（Text to Speech）として公知の方法によって行われる。
【００１１】
ＵＳアメリカ特許明細書ＵＳ６０１８７１０から、ストラクチャ化されたドキュメントをＴＴＳ方法を用いてその中に含まれている構成に関する指示（ストラクチャル・ステートメント）を特別考慮してオーディオ信号に変化することが公知である。
【００１２】
上に挙げた刊行物に開示されている２つの方法ないし装置は、ＶｏｉｃｅＸＭＬによるサーバー側の実現とは異なって、ＩＶＲ方式のクライアント側の実現によって動作し、従ってユーザは任意のストラクチャ化されたドキュメントにおいて上述したような伝送容量に負荷がかかることもなしにＶｏｉｃｅＸＭＬで情報を探し当てることができる。しかしクライアント側で行われる、ストラクチャ化された、事情によっては複合ストラクチャを有しているドキュメントの、音声情報への変換は、このドキュメントにおける音声手段によってナビゲーションするユーザを、変換の最中に失われる、ドキュメントの視覚的なストラクチャ化により混乱させるという欠点を有している。
【００１３】
本発明の課題は、ストラクチャ化されたドキュメントに対するフォーマットベースドエディターに基づいてストラクチャ化されたドキュメントを視覚的なブラウザにより並びにＩＶＲベースドブラウザにより同時に呼び出せるようにするために格別の知識がなくてもよい、このようなストラクチャ化されたドキュメント開発を保証する方法を提供することである。
【００１４】
この課題の解決は請求項１ないし１０の構成要件によって行われる。
【００１５】
本発明によれば、ストラクチャ化されたドキュメントがフォーマットベースドエディター、例えばMicrosoft Corp. 社のＭｉｃｒｏｓｏｆｔ  ＷｏｒｄまたはＭｉｃｒｏｓｏｆｔ  Ｆｒｏｎｔｐａｇｅにより生成される。ストラクチャ化されたドキュメントに、アクセス情報が記憶される。これはこのドキュメントを本発明の方法に適していると特徴付ける。このアクセス情報は例えば、ドキュメントの特性を特徴付けるデータフィールドに格納されるようにするとよい。このデータフィールドにおいてアクセス情報は例えば、ブール代数、数字または英数字のフォーマットにおいて存在していてよい。ドキュメントの作成後これはパケットオリエンテッドネットワークに接続されているＷＷＷサーバーに伝送されかつそこに記憶される。ユーザが音声ベースドブラウザ、すなわちＩＶＲ方式に従って実現されている、ストラクチャ化されたドキュメントにおけるナビゲーションのためおよびその表示のためのソフトウェアによって、このストラクチャ化されたドキュメントに、例えばストラクチャ化されたドキュメントのメモリ場所を特徴付けているアドレスを指示することでアクセスしようとすると、本発明によりアクセス情報の存在の検査が行われる。その際アクセス情報の存在は、ストラクチャ化されたドキュメントに記憶されている数字または英数字の値に依存して特徴付けられているようにすることができる。このアクセス情報が存在していれば、ホスト計算機への転送が実施され、ここでストラクチャ化されたドキュメントの解析が実施される。その際解析の対象は殊に、ストラクチャ化されたドキュメントのソースコードにあるステートメントである。ここで言うステートメントとは、ドキュメントのプレゼンテーションの制御を行うようにし、従ってこのドキュメントに含まれているユーザに向け情報の構成部分ではない、計算機読み取り可能な領域または一連の符号のことである。これらステートメントは後続のステップにおいて、ストラクチャ化されたドキュメントの図形ストラクチャ化を制御するステートメントを音響的な出力形態を支援するステートメントによって拡張するおよび／または置換することによって、ＩＶＲ方式に従って動作するブラウザにプレゼンテーションされるように変更される。ソースコードのこの解析および変更は実行時間時、すなわちＩＶＲ方法に従って動作するブラウザの、ＷＷＷサーバーに記憶されているストラクチャ化されたドキュメントへのアクセス時に行われる。
【００１６】
本発明の方法の重要な利点は、視覚的なブラウザのためにストラクチャ化されたドキュメントの開発後このドキュメントに、ＩＶＲ方式に従って動作するブラウザによってもアクセス可能であるという点に見て取れる。これにより、煩雑な２回の開発およびストラクチャ化されたドキュメントの、２つの異なっているプロトコルにおけるメインテナンスをしないでもすむことになる。
【００１７】
特別有利なのは、ＷＷＷサーバーに記憶されているストラクチャ化されたドキュメントの実行時の解析および変更である。こうすることで、ＷＷＷサーバーにメモリ容量を付加的に用意する必要がなくなる。
【００１８】
更に有利なのは、ストラクチャ化されたドキュメントの開発には、フォーマットベースドエディターによって、例えばＨＴＭＬフォーマットにおいて自動的に生成されるソースコードに関するほんの僅かな知識しか必要としないことである。
【００１９】
本発明の有利な実施形態は従属請求項に記載されている。
【００２０】
有利には情報ホスト計算機はプロキシサーバーの機能を有している。プロキシサーバー（プロキシは全権委任者、代理人を表している）により、ＷＷＷに対して直接的なアクセスを有していないシステムが間接的なアクセスを行うのが可能になる。プロキシは個々のデータパケットをＷＷＷとローカルネットワークとの間のデータ流から取り出しかつこうして安全性の向上に貢献することができる。プロキシサーバーは、所定のサーバーへのアクセスを制限するためにも利用される。その点プロキシサーバーとしての情報ホスト計算機の構成は本発明による方法において有利である。というのは、この場合、ストラクチャ化されたドキュメントの分業処理が可能になるからである。ＷＷＷサーバーは、ストラクチャ化されたドキュメントがＩＶＲ方式に従って動作するブラウザにより呼び出される場合、リソースインテンシブな解析およびソースコードの変更をせずにすむ。従来の、視覚表示に基づいているブラウザによる呼び出しの場合、ストラクチャ化されたドキュメントは直接、情報ホスト計算機の介挿なしに、ブラウザにガイドされる。
【００２１】
ストラクチャ化されたドキュメントをフォーマットベースドエディターにより生成するために。ストラクチャ化されたドキュメントに組み込まれる、またはストラクチャ化されたドキュメントにおいて参照するように指示されるソフトウェアライブラリが用いられる。大抵はスクリプト環境を定義するためのファイルの形で存在しているソフトウェアライブラリをこのように使用することにより、ストラクチャ化されたドキュメントの著者は有利にも、ストラクチャ化されたドキュメントのソースコードの処理をしなくてよい。
【００２２】
フォーマットベースドエディターの使用によって、ソースコードの再現可能なストラクチャが保証されている。フォーマットベースドエディターはストラクチャ化されたドキュメントの著者によって定義されたフォーマットエレメントをブラウザにおけるストラクチャ化された表示のためのステートメントに変換する。この変換は、生成されたソースコードの再現可能なストラクチャを保証する定義されている動作様式によって行われる。例えば別のストラクチャ化されたドキュメント、ストラクチャ化されたドキュメントの別の領域またはロードすべきおよび出力すべきファイルへのクロス参照指示の定義の際に、ＩＶＲ方法に従って動作するブラウザにおける「表示」のためのソースコードの解析および変更を可能にする慣用技術を考慮するようにすれば有利である。
【００２３】
本発明の実施例を以下に図面に基づいて詳細に説明する。
【００２４】
その際：
図１は、パケットオリエンテッドネットワークに接続されている通信端末を略示するブロック回路を示している。
【００２５】
図１には、ＩＶＲ（Internet Voice Response）に従って動作するブラウザＷＴＥを介してパケットオリエンテッドネットワークＮＷ、例えばインターネットまたはローカルネットワークに接続されている通信端末装置ＫＥが示されている。ＩＶＲに従って動作するブラウザは以下に簡単に「ＩＶＲブラウザ」ＷＴＥと称する。ＩＶＲブラウザとパケットオリエンテッドネットワークとの接続とは殊に、ＩＶＲブラウザＷＴＥのソフトウェアが、図示されていない所謂インターネットサービスプロバイダーとのデータ交換を用意するための相応のソフトウェアおよびハードウェア構成要素を使用することができる図示されていない計算機システムにおいて動作することである。
【００２６】
パケットオリエンテッドネットワークＮＷとＩＶＲ方法に従って動作するブラウザＷＴＥとの間の図示されていないデータパケットの交換は、図では円内数字「１」によって示されているように直接か、または図では円内数字「２」で示されているように情報ホスト計算機ＰＲＸを介挿して行われる。
【００２７】
パケットオリエンテッドネットワークＮＷに、ＷＷＷサーバー（World Wide Web）ＳＲＶが接続されている。このサーバーは実質的に、メモリＭに記憶されているストラクチャ化されたドキュメントＳＤを管理しかつこれらをその都度のクライアントに伝送するという働きを有している。既述のように、パケットオリエンテッドネットワークＮＷはローカルネットワークとして実現されていてもよく、この場合ＷＷＷサーバーＳＲＶはイントラネット情報サーバーとして動作する。
【００２８】
例えばＩＶＲブラウザＷＴＥの、その特性によりそれ自体はコネクションレスであるパケットオリエンテッドネットワークＮＷとの「コネクション」とは、パケットオリエンテッドネットワークＮＷに接続されている２つの通信端末間のデータパケットのソース（出所）ないしシンク（目的地）と考えられる。分かり易くするために以下に、「コネクション」という概念が使用される。同様に分かり易くする理由から、図中、パケットオリエンテッドネットワークＮＷによって交換されるデータパケットは実線で示されている。
【００２９】
ＩＶＲブラウザＷＴＥは、以下に説明する音声ベースドナビゲーションを実現するためのソフトウェア層を使用することができる。ブラウザインタフェースＩＥを介して受信されたデータが受信され、処理されかつ音声アプリケーションＳＡＰＩに転送される。この音声アプリケーションＳＡＰＩはデータを、音声認識および合成の意味において処理する。実施例においてこのために、Microsoft 社の３２ビットウィンドウズオペレーションシステム用のインタフェースアプリケーション“ＳＡＰＩ”（Speech Application Programing Interface）が使用される。音声アプリケーションＳＡＰＩによって処理されたデータは電話アプリケーションＴＡＰＩに転送され、ここで音声アプリケーションＳＡＰＩによって受信されたデータが通信端末ＫＥにつなげられるように処理される。このために実施例において、Microsoft 社の３２ビットウィンドウズオペレーションシステム用のインタフェースアプリケーション“ＴＡＰＩ”（Telephony Application Programing Interface）が使用される。パケットオリエンテッドデータの、通信端末ＫＥへの方向において説明されたデータの処理は別の方向において相応に類似した機能でもって行われる。その際通信端末によるＩＶＲブラウザの制御は発声されるキーワードによってまたは図示されていない、通信端末装置ＫＥにある電話数字キーによって行われる。電話数字キーを操作すると通信端末装置ＫＥからＤＴＭＦ（Dual Tone Multifrequency）信号が送信され、これは電話アプリケーションＴＡＰＩによって受信されかつデコーディングされる。
【００３０】
ＩＶＲブラウザＷＴＥは機能の仕方が例えば、Microsoft Corp. 社の“Web Telephony Engine”に相応している。これはインターネットドキュメントプール“Microsoft Developpers' Network”において殊にアドレス http://msdn.microsoft.com/library/default.asp?url=/library/es-us/htmltel/wtestartpage 6let.asp（日付データなし、２００１年１１月８日に関連付けられた内容）下に記載されている。通信端末装置ＫＥを使用するユーザによりＩＶＲブラウザＷＴＥを制御するために、ユーザにより発声されるコマンド並びにＩＶＲブラウザＷＴＥに送信されるＤＴＭＦ（Dual Tone Multifrequency）信号が用いられる。これらはユーザによって通信端末装置ＫＥにおけるそれぞれの数字キーの操作によってトリガされる。
【００３１】
情報ホスト計算機ＰＲＸの動作様式を検討する前に、ストラクチャ化されたドキュメントの特性および情報ホスト計算機ＰＲＸによる処理の条件について説明する。
【００３２】
ストラクチャ化されたドキュメントＳＤはフォーマットベースドエディター、例えば Microsoft Corp. 社のＭｉｃｒｏｓｏｆｔ  ＷｏｒｄまたはＭｉｃｒｏｓｏｆｔ  Ｆｒｏｎｔｐａｇｅを使用して生成される。ストラクチャ化されたドキュメントＳＤにアクセス情報が記憶される。これはストラクチャ化されたドキュメントＳＤをＩＶＲブラウザＷＴＥにおける変換および再生に適しているものとして特徴付ける。このアクセス情報は例えば、ドキュメントの特性を特徴付けるデータフィールド、いわゆる「ドキュメント・プロパティ（Document Properties）」に格納される。このデータフィールドにはアクセス情報が例えばブール代数、数字または英数字のフォーマットにおいて存在している。
【００３３】
ストラクチャ化されたドキュメントＳＤの作成後、これはＨＴＭＬフォーマットにおいて記憶され、ＷＷＷサーバーＳＲＶに伝送されかつそのメモリＭにファイルされる。
【００３４】
情報ホスト計算機ＰＲＸはプロキシサーバーとして実現されている。これはストラクチャ化されたドキュメントＳＤに含まれているアクセス情報に従って、このストラクチャ化されたドキュメントＳＤの内容の処理を行う。ＩＶＲブラウザＷＴＥによって、メモリ場所を特徴付けるアドレスの指示下でストラクチャ化されたドキュメントにアクセスされると、アクセス情報の存在の検査が行われる。このアクセス情報が存在していると、情報ホスト計算機ＰＲＸへの転送が行われることになる。アクセス情報が存在していないまたはそれが設定されているパラメータに対応していなければ、情報ホスト計算機ＰＲＸによるストラクチャ化されたドキュメントＳＤの処理は行われず、このために図では、ＩＶＲブラウザＷＴＥとパケットオリエンテッドネットワークＮＷとの直接的な「コネクション」を示す円内数字「１」によって象徴的に示されている。
【００３５】
次に、ＷＷＷサーバーＳＲＶのメモリＭに格納されている、この形式のアクセス情報を使用することができるストラクチャ化されたドキュメントＳＤを参照する。このストラクチャ化されたドキュメントＳＤは、ＩＶＲブラウザＷＴＥにより要求されると円内数字「２」によって象徴的に示されている、情報ホスト計算機ＰＲＸを介挿した処理経路を介してＩＶＲブラウザＷＴＥのブラウザインタフェースにロードされる。
【００３６】
情報ホスト計算機ＰＲＸは第１および第２のＨＴＭＬクライアントＨＣ１，ＨＣ２を使用している。これらはストラクチャ化されたドキュメントＳＤの受信ないし転送を行う。第１のＨＴＭＬクライアントＨＣ１はその入力側に受信された、ストラクチャ化されたドキュメントに対する要求を第２のＨＴＭＬクライアントＨＣ２に転送する。第２のＨＴＭＬクライアントはこれを、パケットオリエンテッドネットワークＮＷを介して接続されているＷＷＷサーバーＳＲＶに転送する。アクセス情報を有している相応のストラクチャ化されたドキュメントＳＤはこれに基づいてＷＷＷサーバーから第２のＨＴＭＬクライアントＨＣ２に送られ、そこでそれは更に解析装置ＡＮＬに送出される。
【００３７】
解析装置ＡＮＬはストラクチャ化されたドキュメントにおけるＨＴＭＬソースコードの構文解析をＨＴＭＬ−ＤＯＭプログラミングインタフェースＨＴＭＬＤＯＭ（Document Object Model）の機能性を使用して実施する。ＨＴＭＬ−ＤＯＭプログラミングインタフェースＨＴＭＬＤＯＭのために例えば、Microsoft Corp. 社によって開発された、ＣＯＭ（Component Object Model）インタフェースの原理に従ったオブジェクトオリエンテッドライブラリが使用される。これにより、複数のソフトウェアアプリケーション間の、オブジェクトオリエンテッドクライアント−サーバーベースド通信が可能になる。オブジェクトオリエンテッドＨＴＭＬ−ＤＯＭプログラミングインタフェースＨＴＭＬＤＯＭの使用により、ＨＴＭＬコードの構文解析に対する効率よいメソッドが可能になる。というのは、オブジェクトの使用により、ＨＴＭＬコードへのストラクチャ化されたアクセスが可能になるからである。更に、この解析に対して、固定メモリ容量が必要とされない。というのは、結果生じるオブジェクトは作業メモリにおいて扱われるからである。
【００３８】
解析の対象は殊に、ストラクチャ化されたドキュメントのソースコードにおけるステートメントである。ステートメントという概念は、ドキュメントのプレゼンテーション制御を引き起こし、従ってこのストラクチャ化されたドキュメントＳＤに含まれている、ユーザに対して表示されるべき情報の構成部分ではない領域または一連の符号のことである。
【００３９】
解析装置ＡＮＬによって生成されるオブジェクトを使用して、変換装置ＴＲＦはフォーマットＸＭＬ（Extended Markup Language）に変更されたストラクチャ化されたドキュメントＳＤを生成する。オブジェクトの、ＸＭＬソースコードへの変換はＸＭＬ−ＤＯＭプログラミングインタフェースＸＭＬＤＯＭの機能性を使用して行われる。その際ライブラリファイルＸＳＬは例えば、プログラミングインタフェースＸＭＬＤＯＭによって定義されるオブジェクトの拡張を可能にするいわゆる「スタイル・シート（Style Sheets）」を使用して行われる。このために、例えば「拡張スタイル言語（Extended Style Language）」の形で存在しているスクリプトの形でオブジェクトおよび／またはメソッドが定義される。
【００４０】
ＸＭＬソースコードの使用により、ストラクチャ化されたドキュメントＳＤの図形を制御する、ＨＴＭＬソースコードのステートメントを、ストラクチャ化されたドキュメントがＩＶＲブラウザＷＴＥによって「読める」ようにする、音響的な出力形態を支援するステートメントへ拡張および／または置換することが可能になる。このライブラリベースド処理により更に、ストラクチャ化されたドキュメントＳＤのＨＴＭＬソースコードの、例えばＶｏｉｃｅＸＭＬまたはＷＭＬ（Wireless Markup Language）のような別のＸＭＬ変形への簡単な変換が可能である。
【００４１】
ＨＴＭＬソースコードの解析およびＸＭＬソースコードへの変更は実行時、すなわちＩＶＲブラウザの、ＷＷＷサーバーＳＲＶに記憶されているストラクチャ化されたドキュメントＳＤへのアクセス時に行われる。
【００４２】
ストラクチャ化されたドキュメントＳＤのソースコードへの詳細な変更は、国内書類番号２００１Ｐ２１３２２を有する特許出願で説明されているので、ここでは、いくつか中心となる動作様式についてのみ説明された。その際フォーマットベースドエディターにおけるストラクチャ化されたドキュメントの開発者が注意しなければならないいくつかの観点も説明された。
【図面の簡単な説明】
【００４３】
【図１】パケットオリエンテッドネットワークに接続されている通信端末のストラクチャの概略図
【図１】
2005513662.tif 000003
【手続補正書】
【提出日】平成15年11月12日(2003.11.12)
【手続補正１】
【補正対象書類名】明細書
【補正対象項目名】００４２
【補正方法】変更
【補正の内容】
【００４２】
ストラクチャ化されたドキュメントＳＤのソースコードへの詳細な変更は、２００１年１２月２０日に提出された、出願書類番号１０／０３７９７９を有するＵＳアメリカ特許出願で説明されているので、ここでは、いくつか中心となる動作様式についてのみ説明された。その際フォーマットベースドエディターにおけるストラクチャ化されたドキュメントの開発者が注意しなければならないいくつかの観点も説明された。
【手続補正２】
【補正対象書類名】特許請求の範囲
【補正対象項目名】請求項１０
【補正方法】変更
【補正の内容】
【請求項１０】
ストラクチャ化されたドキュメント（ＳＤ）の呼び出しおよび／またはデータの交換のための、パケットオリエンテッドネットワークを介して接続されているＷＷＷサーバー（ＳＲＶ）と、
前記パケットオリエンテッドネットワークに接続されている情報ホスト計算機（ＰＲＸ）と
を有している、パケットオリエンテッドネットワークを介して情報を音声を用いて交換するためのシステムであって、
該情報ガイド計算機（ＰＲＸ）は
ここに接続されている音声ベースドブラウザ（ＷＴＥ）を介してアクセスされる、その前にフォーマットベースドエディター（ＦＥ）によって生成されかつＷＷＷサーバー（ＳＲＶ）にアクセス情報（ＤＰ）と一緒に記憶されているストラクチャ化されたドキュメント（ＳＤ）を解析しかつ
該ストラクチャ化されたドキュメント（ＳＤ）に含まれている、図形ストラクチャ化のためのステートメントから音響的な出力形態のためのステートメントに変更する
情報の交換システム。
【国際調査報告】
2005513662.tif 000004
2005513662.tif 000005
2005513662.tif 000006
2005513662.tif 000007
2005513662.tif 000008
2005513662.tif 000009